(57)【要約】【課題】販売代理店の募集を容易且つ効率的に行うことができると共に、販売代理店の販売意欲及び販売代理店の募集意欲を効果的に向上させることができ、また商品の購入者側にもメリットをもたらすことが可能な通販ＷＥＢサイト支援システムを提供することを課題とする。【解決手段】集合通販ＷＥＢサイトを所有する本部１０と、集合通販ＷＥＢサイトの提供を受ける販売代理店２０とで構成される通販ＷＥＢサイト支援システム１であって、本部１０のサーバ１１による処理は、新規販売代理店の登録申込みが現になされた通販ＷＥＢサイトと関連付けた識別符号を付与した集合通販ＷＥＢサイトを新規販売代理店に提供する新規販売代理店開設処理と、新規販売代理店と新規販売代理店の通販ＷＥＢサイトに付与された識別符号とを関連付けて記憶する記憶処理とを少なくとも備える。【選択図】      図１
2018120268.tif 000002
【特許請求の範囲】
【請求項１】
通販ＷＥＢサイトを所有する本部と、前記本部から通販ＷＥＢサイトの提供を受ける販売代理店とで構成される通販ＷＥＢサイト支援システムであって、前記本部が所有すると共に、前記販売代理店に提供する通販ＷＥＢサイトは、複数の通販ＷＥＢサイトを一つのサイトに集合させてなる集合通販ＷＥＢサイトであり、且つ前記本部の集合通販ＷＥＢサイトを構成する各通販ＷＥＢサイトと、前記販売代理店の集合通販ＷＥＢサイトを構成する各通販ＷＥＢサイトとは、新規販売代理店の登録申込みを受け付ける機能を備え、前記本部のサーバによる処理は、前記本部の集合通販ＷＥＢサイトを構成する各通販ＷＥＢサイトと、前記販売代理店の集合通販ＷＥＢサイトを構成する各通販ＷＥＢサイトとの少なくとも一方から新規販売代理店の登録申込みを受けた場合において、それを承認する場合には、新規販売代理店の登録申込みが現になされた通販ＷＥＢサイトと関連付けた識別符号を付与した前記集合通販ＷＥＢサイトを前記新規販売代理店に提供することで新規販売代理店の開設を行う新規販売代理店開設処理と、前記新規販売代理店と該新規販売代理店の通販ＷＥＢサイトに付与された識別符号とを関連付けて記憶する記憶処理とを少なくとも備えることを特徴とする通販ＷＥＢサイト支援システム。
【請求項２】
新規販売代理店に提供される集合通販ＷＥＢサイトを構成する各通販ＷＥＢサイトは、商品の購入申込みを受付ける機能を備えると共に、商品の売買が成立した場合には、商品の購入申込みを受付けた通販ＷＥＢサイトと、該通販ＷＥＢサイトよりも上位層で且つ前記通販ＷＥＢサイトと関連付けられる通販ＷＥＢサイトとについて、商品の購入金額に対応した配当金額を本部のサーバが算出し、前記配当金額を、商品の購入申込みを受付けた通販ＷＥＢサイトを備える販売代理店と、商品の購入申込みを受付けた通販ＷＥＢサイトよりも上位層で且つ前記通販ＷＥＢサイトと関連付けられる通販ＷＥＢサイトを備える販売代理店とに対して前記本部が付与することを特徴とする請求項１に記載の通販ＷＥＢサイト支援システム。
【請求項３】
本部のサーバは、販売代理店の通販ＷＥＢサイトを介して商品の売買が成立した場合には、商品の購入者が、商品の購入申込みを受付けた通販ＷＥＢサイトの登録者か否かの購入者判定処理を行うと共に、前記購入者判定処理において、商品の購入者が前記登録者であると判定した場合においては、購入金額に対応した配当金額若しくは換金可能なポイントを本部のサーバが算出し、前記配当金額若しくは換金可能なポイントを、商品の購入申込みを受付けた通販ＷＥＢサイトを備える販売代理店に対して本部が付与することを特徴とする請求項２に記載の通販ＷＥＢサイト支援システム。
【請求項４】
本部のサーバは、販売代理店毎に定められた月会費の入金確認を行う処理を備えると共に、入金確認がとれた場合には、入金確認がとれた販売代理店の通販ＷＥＢサイトよりも上位層で且つ前記通販ＷＥＢサイトと関連付けられる通販ＷＥＢサイトについて、前記月会費の金額に対応した配当金額を算出し、前記配当金額を、入金確認がとれた販売代理店の通販ＷＥＢサイトよりも上位層で且つ前記通販ＷＥＢサイトと関連付けられる通販ＷＥＢサイトを備える販売代理店に対して前記本部が付与することを特徴とする請求項１〜３の何れか１項に記載の通販ＷＥＢサイト支援システム。
【請求項５】
集合通販ＷＥＢサイトを構成する各通販ＷＥＢサイトは、通販ＷＥＢサイトを介して商品の販売を行う複数の企業がそれぞれ作成した通販ＷＥＢサイトで構成されると共に、前記各通販ＷＥＢサイトを介して行う商品の受発注は、商品の購入申し込みを受付けた通販ＷＥＢサイトを作成した企業が直接行うことを特徴とする請求項２〜４の何れか１項に記載の通販ＷＥＢサイト支援システム。
【発明の詳細な説明】
【技術分野】
【０００１】
本願発明は、インターネット通信網を介して通販ＷＥＢサイトを運営及び管理する通販ＷＥＢサイト支援システムに関する。
【背景技術】
【０００２】
近年、通信技術の発達により、インターネット通信網を介して各種商品の販売を行う、いわゆるオンラインショッピングに関するサービスが盛んに行われている。
このようなオンラインショッピングに関する従来技術を示すものとして、下記特許文献１がある。
【先行技術文献】
【特許文献】
【０００３】
【特許文献１】特開２００２−３０４５３７号公報
【特許文献２】特開２００６−９２４３８号公報
【特許文献３】特許第６０１８１０７号公報
【発明の概要】
【発明が解決しようとする課題】
【０００４】
上記特許文献１に示すような従来のオンラインショッピングに関する技術は、運営会社が一つの通販ＷＥＢサイトを有し、この通販ＷＥＢサイトを介して各種商品の販売を行うものが一般的であった。よって需要者に通販ＷＥＢサイトの存在を知ってもらうためには多大な広報活動が必要となり、効率的に販路を拡大することができないという課題があった。
このような課題に対して、上記特許文献２に示すような、運営会社が開発した通信販売機能を個人商店等が利用できる構成を備えることで、個人商店等をいわゆる販売代理店として利用する技術があった。しかし、あくまで運営会社のサーバと個人商店等とを一対一で結び付ける構成であることから、依然として効率的に販路を拡大することができないという問題があった。また個人商店等の販売代理店は、顧客に商品情報を提供できるだけで販売代理店の募集を行うものではないことから、販売代理店数を効率的に増やすことができないという課題があった。
また上記特許文献１、２に示す従来技術の課題を解決すべく、本願発明者が開発した上記特許文献３に示す発明においては、本部から通販ＷＥＢサイトの提供を受ける複数の販売代理店を開設すると共に、各販売代理店が新規販売代理店の募集を行うことができる構成を備えるものであるものの、開設される販売代理店の数が所定数に限られることから、依然として販売代理店を効率的に増やすことができないという課題があった。また商品の販売者側にはメリットがあるシステムであるものの、商品の購入者側にはメリットが乏しいという課題があった。
【０００５】
そこで本願発明は上記従来の課題を解決し、本部が提供する通販ＷＥＢサイトを備える販売代理店の募集を容易且つ効率的に行うことができ、また販売代理店の販売意欲及び販売代理店の募集意欲を効果的に向上させることができる通販ＷＥＢサイト支援システムを提供することを課題とする。また商品の購入者側にもメリットをもたらすことが可能な通販ＷＥＢサイト支援システムを提供することを課題とする。
【課題を解決するための手段】
【０００６】
本発明の通販ＷＥＢサイト支援システムは、通販ＷＥＢサイトを所有する本部と、前記本部から通販ＷＥＢサイトの提供を受ける販売代理店とで構成される通販ＷＥＢサイト支援システムであって、前記本部が所有すると共に、前記販売代理店に提供する通販ＷＥＢサイトは、複数の通販ＷＥＢサイトを一つのサイトに集合させてなる集合通販ＷＥＢサイトであり、且つ前記本部の集合通販ＷＥＢサイトを構成する各通販ＷＥＢサイトと、前記販売代理店の集合通販ＷＥＢサイトを構成する各通販ＷＥＢサイトとは、新規販売代理店の登録申込みを受け付ける機能を備え、前記本部のサーバによる処理は、前記本部の集合通販ＷＥＢサイトを構成する各通販ＷＥＢサイトと、前記販売代理店の集合通販ＷＥＢサイトを構成する各通販ＷＥＢサイトとの少なくとも一方から新規販売代理店の登録申込みを受けた場合において、それを承認する場合には、新規販売代理店の登録申込みが現になされた通販ＷＥＢサイトと関連付けた識別符号を付与した前記集合通販ＷＥＢサイトを前記新規販売代理店に提供することで新規販売代理店の開設を行う新規販売代理店開設処理と、前記新規販売代理店と該新規販売代理店の通販ＷＥＢサイトに付与された識別符号とを関連付けて記憶する記憶処理とを少なくとも備えることを第１の特徴としている。
【０００７】
上記本発明の第１の特徴によれば、本部と販売代理店の何れの通販ＷＥＢサイトでも新規販売代理店の登録申込みを行えることで、日時に関係なく新規販売代理店の申込みを受け付けることができる。よって販売代理店の募集を容易に行うことができる。更に本部が所有する通販ＷＥＢサイトと、販売代理店が本部から提供される通販ＷＥＢサイトとが、何れも複数の通販ＷＥＢサイトを一つのサイトに集合させてなる集合通販ＷＥＢサイトであると共に、それぞれの集合通販ＷＥＢサイトを構成する各通販ＷＥＢサイトから新規販売代理店の登録申込みを行える構成とすることで、販売代理店を一段と効率的に増加させることができる。また新規販売代理店の登録申込みが現になされた販売代理店の通販ＷＥＢサイトと関連付けた識別符号を付与した通販ＷＥＢサイトを新規販売代理店に提供すると共に、新規販売代理店と該新規販売代理店の通販ＷＥＢサイトに付与された識別符号とを関連付けて記憶することから、どの販売代理店の通販ＷＥＢサイトを介して新規販売代理店の登録申込みがあったかの確認を容易に行うことができる。
【０００８】
また本発明の通販ＷＥＢサイト支援システムは、上記本発明の第１の特徴に加えて、新規販売代理店に提供される集合通販ＷＥＢサイトを構成する各通販ＷＥＢサイトは、商品の購入申込みを受付ける機能を備えると共に、商品の売買が成立した場合には、商品の購入申込みを受付けた通販ＷＥＢサイトと、該通販ＷＥＢサイトよりも上位層で且つ前記通販ＷＥＢサイトと関連付けられる通販ＷＥＢサイトとについて、商品の購入金額に対応した配当金額を本部のサーバが算出し、前記配当金額を、商品の購入申込みを受付けた通販ＷＥＢサイトを備える販売代理店と、商品の購入申込みを受付けた通販ＷＥＢサイトよりも上位層で且つ前記通販ＷＥＢサイトと関連付けられる通販ＷＥＢサイトを備える販売代理店とに対して前記本部が付与することを第２の特徴としている。
【０００９】
上記本発明の第２の特徴によれば、上記本発明の第１特徴による作用効果に加えて、商品の売買が成立した販売代理店に対して配当金額を付与する構成とすることで、既存の販売代理店に対して、商品の宣伝意欲と、新規販売代理店の募集意欲とを効果的に向上させることができる。
【００１０】
また本発明の通販ＷＥＢサイト支援システムは、上記本発明の第２の特徴に加えて、本部のサーバは、販売代理店の通販ＷＥＢサイトを介して商品の売買が成立した場合には、商品の購入者が、商品の購入申込みを受付けた通販ＷＥＢサイトの登録者か否かの購入者判定処理を行うと共に、前記購入者判定処理において、商品の購入者が前記登録者であると判定した場合においては、購入金額に対応した配当金額若しくは換金可能なポイントを本部のサーバが算出し、前記配当金額若しくは換金可能なポイントを、商品の購入申込みを受付けた通販ＷＥＢサイトを備える販売代理店に対して本部が付与することを第３の特徴としている。
【００１１】
上記本発明の第３の特徴によれば、上記本発明の第２の特徴による作用効果に加えて、商品の購入者が販売代理店の登録者であると判定した場合に、商品の購入申込みを受付けた通販ＷＥＢサイトを備える販売代理店に対して配当金額若しくは換金可能なポイントを付与する構成とすることで、新規販売代理店として登録することで、自らの商品購入に関して優待を受けることが可能であることから、新規販売代理店への登録意欲を効果的に掻き立てることができ、新規販売代理店を効果的に増加させることができる。
【００１２】
また本発明の通販ＷＥＢサイト支援システムは、上記本発明の第１〜第３の何れか１つの特徴に加えて、本部のサーバは、販売代理店毎に定められた月会費の入金確認を行う処理を備えると共に、入金確認がとれた場合には、入金確認がとれた販売代理店の通販ＷＥＢサイトよりも上位層で且つ前記通販ＷＥＢサイトと関連付けられる通販ＷＥＢサイトについて、前記月会費の金額に対応した配当金額を算出し、前記配当金額を、入金確認がとれた販売代理店の通販ＷＥＢサイトよりも上位層で且つ前記通販ＷＥＢサイトと関連付けられる通販ＷＥＢサイトを備える販売代理店に対して前記本部が付与することを第４の特徴としている。
【００１３】
上記本発明の第４の特徴によれば、月会費の入金確認がとれた販売代理店の通販ＷＥＢサイトよりも上位層で且つ前記通販ＷＥＢサイトと関連付けられる通販ＷＥＢサイトを備える販売代理店に対して、配当金額を付与する構成とすることで、既存の販売代理店は、新規販売代理店が開設されることで毎月一定額の収入を見込むことが可能となる。よって、既存の販売代理店に対して新規販売代理店の募集意欲を効果的に向上させることができると共に、通販ＷＥＢサイト支援システムを販売代理店にとって魅力的なシステムとすることができる。
【００１４】
また本発明の通販ＷＥＢサイト支援システムは、上記本発明の第２〜第４の何れか１つの特徴に加えて、集合通販ＷＥＢサイトを構成する各通販ＷＥＢサイトは、通販ＷＥＢサイトを介して商品の販売を行う複数の企業がそれぞれ作成した通販ＷＥＢサイトで構成されると共に、前記各通販ＷＥＢサイトを介して行う商品の受発注は、商品の購入申し込みを受付けた通販ＷＥＢサイトを作成した企業が直接行うことを第５の特徴としている。
【００１５】
上記本発明の第５の特徴によれば、上記本発明の第２〜第４の何れか１つの特徴による作用効果に加えて、集合通販ＷＥＢサイトを構成する各通販ＷＥＢサイトをバラエティに富んだ通販ＷＥＢサイトとすることができる。よって新規販売代理店への登録意欲を効果的に掻き立てることができ、新規販売代理店を効果的に増加させることができる。また商品の購入者にとっても、一つの集合通販ＷＥＢサイトで様々な企業の商品を購入できることから、商品の購入者にとっても利便性の高いシステムとすることができる。
また商品の受発注を、商品の購入申し込みを受付けた通販ＷＥＢサイトを作成した企業が直接行う構成とすることで、各通販ＷＥＢサイトを、各通販ＷＥＢサイトを介して商品の販売を行う各企業の直販サイトとすることができる。よって商品の販売者と購入者との間に、仲介者（いわゆる問屋等）が入ることのないシステムとすることができる。よって、商品の販売価格を効果的に抑えることができ、商品の購入者にとって一段と利便性の高いシステムとすることができる。同時に、商品の販売者にとっては、実店舗ではなく、サイト上で２４時間直接商品の販売を行うことができることで、人件費等の諸経費を効果的に抑えることができ、省コスト化が可能なシステムとすることができる。
【発明の効果】
【００１６】
本発明の通販ＷＥＢサイト支援システムによれば、販売代理店の募集を容易且つ効率的に行うことができ、また、販売代理店の販売意欲及び販売代理店の募集意欲を効果的に向上させることができる。
また商品の購入者側にもメリットをもたらすことが可能な通販ＷＥＢサイト支援システムとすることができる。
【図面の簡単な説明】
【００１７】
【図１】本発明の実施形態に係る通販ＷＥＢサイト支援システムの構成を示す全体図である。
【図２】本発明の実施形態に係る通販ＷＥＢサイト支援システムを構成する本部のサーバの構成を示す図である。
【図３】本発明の実施形態に係る通販ＷＥＢサイト支援システムを構成する販売代理店の通販ＷＥＢサイトの画面を簡略化して示す図で、（ａ）は初期画面を示す図で、（ｂ）は初期画面で表示される集合通販ＷＥＢサイトの中から、一つの通販ＷＥＢサイトを選択した後の画面を示す図である。
【図４】本発明の実施形態に係る通販ＷＥＢサイト支援システムにおける新規販売代理店開設処理を示すフローチャートである。
【図５】本発明の実施形態に係る通販ＷＥＢサイト支援システムにおける新規販売代理店開設処理を示すフローチャートである。
【図６】本発明の実施形態に係る通販ＷＥＢサイト支援システムにおける商品購入申込み処理を示すフローチャートである。
【図７】本発明の実施形態に係る通販ＷＥＢサイト支援システムにおける商品購入申込み処理を示すフローチャートである。
【図８】本発明の実施形態に係る通販ＷＥＢサイト支援システムにおいて、複数の新規販売代理店を開設する過程を示す図である。
【図９】本発明の実施形態に係る通販ＷＥＢサイト支援システムにおいて、複数の新規販売代理店を開設する過程を示す図である。
【発明を実施するための形態】
【００１８】
以下の図面を参照して、本発明の実施形態に係る通販ＷＥＢサイト支援システムを説明し、本発明の理解に供する。しかし、以下の説明は本発明の実施形態であって、特許請求の範囲に記載の内容を限定するものではない。
【００１９】
本発明の実施形態に係る通販ＷＥＢサイト支援システムは、通販ＷＥＢサイトを所有する本部と、本部から通販ＷＥＢサイトの提供を受ける複数の販売代理店とをインターネット通信網を介して接続することで、通販ＷＥＢサイトを介して新規販売代理店の募集と各種商品の販売とを行うことができるシステムである。
【００２０】
まず図１を参照して、本発明の実施形態に係る通販ＷＥＢサイト支援システム１は、通販ＷＥＢサイトを所有する本部１０と、本部１０から通販ＷＥＢサイトの提供を受ける販売代理店２０と、顧客端末３０と、インターネット通信網４０とで構成される。
【００２１】
前記本部１０は、サーバ１１を備え、通販ＷＥＢサイトを所有すると共に、通販ＷＥＢサイト支援システム１の管理、運営を行う機能を有するものである。なお、本部１０及び販売代理店２０は、インターネット通信網４０を介して各種情報を送受信するために通常用いられる機器（ハブ、ＬＡＮケーブル、ルーター等）やオペレーターを当然備えるものであるが、それらの図示及び説明は省略するものとする。
【００２２】
前記サーバ１１は、通販ＷＥＢサイト支援システム１の運営、管理を行う機能を有するものである。具体的には、本部１０の端末装置と販売代理店２０の端末装置及び顧客３０の端末装置との間で各種通信を可能にする機能を有すると共に、通販ＷＥＢサイト情報、販売代理店情報、顧客情報、商品情報を一元管理する機能を有するものである。
図２に示すようにサーバ１１は、制御部１２と、記憶部１３とを有する。
【００２３】
前記制御部１２は、通販ＷＥＢサイト支援システム１を運営、管理するプログラムを保有する部である。本実施形態においては、図２に示すように、販売代理店管理部１２ａと、通販ＷＥＢサイト管理部１２ｂと、商品販売管理部１２ｃと、識別符号部１２ｄと、認証部１２ｅと、データ送受信部１２ｆと、通信端末接続部１２ｇとを備える。
【００２４】
前記販売代理店管理部１２ａは、通販ＷＥＢサイト支援システム１に既に登録されている販売代理店２０と、新たに登録される販売代理店２０との管理を行う機能を有する部である。具体的には、インターネット通信網４０を介して本部１０の集合通販ＷＥＢサイトを構成する各通販ＷＥＢサイト若しくは販売代理店２０の集合通販ＷＥＢサイトを構成する各通販ＷＥＢサイトから新規販売代理店の登録申込みがあった場合に、申込みを受け付けた通販ＷＥＢサイトが有効な登録状態にある販売代理店２０かどうかの審査や申込者の審査等を行う。
【００２５】
前記通販ＷＥＢサイト管理部１２ｂは、本部１０が所有すると共に、本部１０から販売代理店２０に提供される集合通販ＷＥＢサイトの管理を行う部である。
本実施形態における通販ＷＥＢサイト支援システム１においては、本部１０が所有すると共に、本部１０から販売代理店２０に提供される通販ＷＥＢサイトは、複数の通販ＷＥＢサイトを一つのサイトに集合させてなる集合通販ＷＥＢサイト（いわゆるインターネット上のショッピングモール）とする構成としてある。
具体的には図１に示すように、本部１０のサーバ１１は、通販ＷＥＢサイト１０ａ〜通販ＷＥＢサイト１０ｊまでの１０個の通販ＷＥＢサイトを、仮想線（二点鎖線）で示す一つの集合通販ＷＥＢサイトとして備える。更に本実施形態においては、通販ＷＥＢサイト１０ａ〜通販ＷＥＢサイト１０ｊまでの１０個の通販ＷＥＢサイトは、例えば被服販売用通販ＷＥＢサイト、食品販売用通販ＷＥＢサイト、工具販売用通販ＷＥＢサイト等というように、それぞれが異なる業種の商品を販売する通販ＷＥＢサイトで構成してある。
加えて、各通販ＷＥＢサイトは、それぞれ別々の企業の通販ＷＥＢサイトで構成されると共に、各通販ＷＥＢサイトの作成と、商品販売に関わる受発注は各企業が行う構成としてある。つまり本実施形態においては、各企業が作成した通販ＷＥＢサイトを、本部１０のサーバ１１が運営、管理する集合通販ＷＥＢサイト上（いわゆるネットワーク空間上）にアップロードする構成としてある。このアップロードは、例えば本部１０と各企業との間で、通販ＷＥＢサイト支援システム１への加入契約を結ぶことで可能とする構成とすることができる。
このように本実施形態においては、集合通販ＷＥＢサイトを構成する各通販ＷＥＢサイトは、それぞれ異なる企業の通販ＷＥＢサイトで構成されている。具体的には、通販ＷＥＢサイト１０ａ〜通販ＷＥＢサイト１０ｊまでの１０個の通販ＷＥＢサイトは、１０社の企業の通販ＷＥＢサイトで構成されている。
勿論、集合通販ＷＥＢサイトを構成する各通販ＷＥＢサイトの数や構成は、本実施形態のものに限るものではなく、適宜変更可能である。
【００２６】
また本実施形態においては、各通販ＷＥＢサイトは、商品の購入申込みを受付ける機能と、新規販売代理店の登録申込みを受付ける機能とを備える構成としてある。そして既述したように、商品の受発注は、各通販ＷＥＢサイトを作成、運営する各企業が直接行う構成としてある。つまり本実施形態においては、各通販ＷＥＢサイトは、各企業の直販サイトとして機能する構成としてある。
一方、新規販売代理店の登録や管理に関する各種処理は、本部１０のサーバ１１が行う構成としてある。加えて、商品の購入申込みに関するデータ（商品名、数量、価格、販売日時等）は、各企業とサーバ１１で共有する構成としてある。
上記のような構成からなる本実施形態に係る通販ＷＥＢサイト支援システム１においては、通販ＷＥＢサイト管理部１２ｂは、集合通販ＷＥＢサイトに登録される各企業の通販ＷＥＢサイトの登録等を管理する。また本部１０が所有する集合通販ＷＥＢサイトと、各販売代理店に提供される集合通販ＷＥＢサイトへのアクセス数の管理等を行う。
【００２７】
前記商品販売管理部１２ｃは、主として集合通販ＷＥＢサイトを構成する各通販ＷＥＢサイトを介して販売する各種商品の販売数や販売額の処理等を行う部である。これら商品の販売数や販売額は、後述する商品の購入金額に対する配当金額の算出に利用される。
なお本実施形態においては既述したように、本部１０が所有する集合通販ＷＥＢサイトや、各販売代理店２０の集合通販ＷＥＢサイトを介して行われる商品の受発注に関する処理は、全て各通販ＷＥＢサイトを作成、運営する各企業が行う構成としてある。
【００２８】
前記識別符号部１２ｄは、通販ＷＥＢサイトや販売代理店２０、顧客３０に対して割り当てる固有の識別符号を作成し、付与する部である。
本実施形態においては、識別符号として、本部１０が所有する集合通販ＷＥＢサイトに付与される本部集合通販ＷＥＢサイト管理符号と、本部１０の集合通販ＷＥＢサイトを構成する各通販ＷＥＢサイトに付与される本部通販ＷＥＢサイト管理符号と、販売代理店に提供される集合通販ＷＥＢサイトに付与される販売代理店集合通販ＷＥＢサイト管理符号と、販売代理店の集合通販ＷＥＢサイトを構成する各通販ＷＥＢサイトに付与される販売代理店通販ＷＥＢサイト管理符号とがある。また販売代理店に付与される販売代理店管理符号と、顧客に付与される顧客管理符号がある。勿論、識別符号はこれらに限定されるものではなく、適宜変更可能である。
【００２９】
なお本実施形態においては、本部１０の集合通販ＷＥＢサイトを構成する各通販ＷＥＢサイトや、販売代理店２０の集合通販ＷＥＢサイトを構成する各通販ＷＥＢサイトから新規販売代理店の登録申込みを受けた場合において、それを承認する場合には、新規販売代理店の登録申込みが現になされた販売代理店２０の通販ＷＥＢサイトと関連付けた通販ＷＥＢサイト管理符号を付与した通販ＷＥＢサイトを新規販売代理店に提供する構成としてある。
より具体的には、新規の販売代理店２０に対して、集合通販ＷＥＢサイト管理符号として、新規販売代理店の登録申込みが現になされた販売代理店２０の通販ＷＥＢサイトと関連付けた販売代理店集合通販ＷＥＢサイト管理符号が付与される。また通販ＷＥＢサイト管理符号として、各通販ＷＥＢサイトに、新規販売代理店の登録申込みが現になされた販売代理店２０の通販ＷＥＢサイトと関連付けた販売代理店通販ＷＥＢサイト管理符号が付与される。なおここで、各通販ＷＥＢサイトの間においても、それぞれの通販ＷＥＢサイトを識別できるように、各通販ＷＥＢサイトに対してそれぞれ異なる販売代理店通販ＷＥＢサイト管理符号が付与される。
更に、新規販売代理店に付与される販売代理店管理符号と、新規販売代理店に付与される販売代理店集合通販ＷＥＢサイト管理符号と販売代理店通販ＷＥＢサイト管理符号とをそれぞれ関連付けて記憶部１３（後述する）に記憶する構成としてある。
なお識別符号としては、数字、アルファベット、記号等、如何なる符号を用いる構成としてもよい。
【００３０】
前記認証部１２ｅは、販売代理店２０や顧客３０が本部１０のサーバ１１の照合を得ることが必要なデータ（例えば販売代理店通販ＷＥＢサイト管理符号や、顧客管理符号、パスワード等）についての認証を行う部である。本通販ＷＥＢサイト支援システム１においては、認証部１２ｅが行う認証としては、販売代理店認証、通販ＷＥＢサイト認証、顧客認証とがあるが、勿論、これらに限定されるものではない。
【００３１】
前記データ送受信部１２ｆは、サーバ１１と、通販ＷＥＢサイトを備える販売代理店２０の端末装置と、顧客３０の端末装置との間で、インターネット通信網４０を介して受け渡しする全てのデータを送受信する機能を有する部である。なお、ここで「受け渡しするデータ」とは、文字データ、音声データ、画像データ等の送受信できる全てのデータを含む概念である。
【００３２】
前記通信端末接続部１２ｇは、サーバ１１と、通販ＷＥＢサイトを備える販売代理店２０の端末装置と、顧客３０の端末装置とを、インターネット通信網４０を介して相互に通信可能に接続する部である。
【００３３】
前記記憶部１３は、通販ＷＥＢサイト情報、販売代理店情報、顧客情報、商品情報等の予めサーバ１１に記憶させておくデータや、追加・修正のあったデータ等を記憶させておく機能を有する部である。
本実施形態においては、図２に示すように、通販ＷＥＢサイトデータベース１３ａと、販売代理店データベース１３ｂと、顧客データベース１３ｃと、商品データベース１３ｄとを備える。
【００３４】
前記通販ＷＥＢサイトデータベース１３ａは、集合通販ＷＥＢサイトを構成する各通販ＷＥＢサイトの各種情報を記憶させておくためのデータベースである。
本通販ＷＥＢサイト支援システム１においては、通販ＷＥＢサイトデータベース１３ａに記憶される情報として、各通販ＷＥＢサイトを作成、運営する各企業名、各企業の所在地、各企業の担当者名と連絡先、本部集合通販ＷＥＢサイト管理符号、本部通販ＷＥＢサイト管理符号等があるが、勿論、これらに限られるものではない。
【００３５】
前記販売代理店データベース１３ｂは、本部１０と通販営業契約を結ぶことで、販売代理店２０として登録される代理店の各種情報を記憶させておくためのデータベースである。
本通販ＷＥＢサイト支援システム１においては、販売代理店データベース１３ｂに記憶される情報として、販売代理店管理符号、販売代理店集合通販ＷＥＢサイト管理符号、販売代理店通販ＷＥＢサイト管理符号、販売代理店として営業を行う者の登録者名とプロフィール（住所や連絡先等）、販売代理店として登録された日時等があるが、勿論、これらに限られるものではない。
【００３６】
前記顧客データベース１３ｃは、本部１０の通販ＷＥＢサイトや販売代理店２０の通販ＷＥＢサイトを介して商品を購入した者の各種情報を記憶させておくためのデータベースである。
本通販ＷＥＢサイト支援システム１においては、顧客データベース１３ｃに記憶される情報として、顧客管理符号、顧客名とプロフィール（性別、年齢、住所、連絡先等）、購入した商品名と品番及び数量、商品購入日時等があるが、勿論、これらに限られるものではない。
【００３７】
前記商品データベース１３ｄは、本部１０の通販ＷＥＢサイト及び販売代理店２０の通販ＷＥＢサイトで販売する商品の各種情報を記憶させておくためのデータベースである。
本通販ＷＥＢサイト支援システム１においては、商品データベース１３ｄに記憶される情報として、商品名、商品番号、販売価格、販売数量、販売日時等があるが、勿論、これらに限られるものではない。
【００３８】
前記販売代理店２０は、本部１０と通販営業契約を結ぶことで固有の識別符号が付与された集合通販ＷＥＢサイトの提供を受けることができ、これによって通販営業が許可されるものである。具体的には、本実施形態においては、本部１０が所有する集合通販ＷＥＢサイトを構成する各通販ＷＥＢサイトや、既存の販売代理店２０の集合通販ＷＥＢサイトを構成する各通販ＷＥＢサイトから新規販売代理店の登録申込みを行い、この申込みが本部１０に承認された場合に、本部１０と通販営業契約を結ぶことができて、固有の識別符号が付与された集合通販ＷＥＢサイトの提供を受けることができる構成としてある。
【００３９】
本実施形態においては、図１に示すように、本部１０が所有する集合通販ＷＥＢサイトを構成する複数の通販ＷＥＢサイトのうち、通販ＷＥＢサイト１０ｅを介して新規販売代理店が１０ヶ所成立（販売代理店２１ａ〜販売代理店２１ｊ）すると共に、販売代理店２１ｉが備える集合通販ＷＥＢサイトを構成する何れかの通販ＷＥＢサイトを介して新規販売代理店が１０ヶ所成立（販売代理店２２ａ〜販売代理店２２ｊ）したものとして、以下の説明を行うものとする。
つまり本発明の通販ＷＥＢサイト支援システム１においては、本部１０が所有する集合通販ＷＥＢサイトを構成する各通販ＷＥＢサイトと、販売代理店２０が備える集合通販ＷＥＢサイトを構成する各通販ＷＥＢサイトとにおいて、それぞれの通販ＷＥＢサイトから新規販売代理店の登録申込みが可能な構成であることから、図１に破線で示すように、新規販売代理店の登録申込みがあった本部１０の通販ＷＥＢサイト、若しくは新規販売代理店の登録申込みがあった販売代理店２０の通販ＷＥＢサイトを中心として、その周りに新規販売代理店の輪が広がっていくようなシステムとなっている。言い換えれば、新規販売代理店の登録申込みがなされた通販ＷＥＢサイトを中心として、通販ＷＥＢサイトの集合体が形成されるようなシステムとなっている。
なお、新規販売代理店の数や配置位置は本実施形態のものに限るものではなく、適宜変更可能である。例えば新規販売代理店の数を有限とする構成としてもよいし、無限とする構成としてもよい。どちらも本発明に含む概念である。
【００４０】
また図１には図示していないが、販売代理店２１ａ〜販売代理店２１ｊと、販売代理店２２ａ〜販売代理店２２ｊの各販売代理店は、それぞれ、本部１０が備える集合通販ＷＥＢサイト（通販ＷＥＢサイト１０ａ〜通販ＷＥＢサイト１０ｊ）と全く同じ内容、機能を備える１０個の通販ＷＥＢサイト（集合通販ＷＥＢサイト）を本部１０から提供されている。
【００４１】
また本実施形態においては、図３（ａ）に模式化して示すように、販売代理店２０が本部１０から提供される集合通販ＷＥＢサイトの初期画面Ｇ１として、本システムに登録してある複数の通販ＷＥＢサイトを表示するための通販ＷＥＢサイト表示画面Ｇ２と、販売代理店２０の登録者として本システムに加入した者のプロフィールを表示するためのプロフィール表示画面Ｇ３とを備える構成としてある。
なお本実施形態においては、通販ＷＥＢサイト表示画面Ｇ２において、希望する通販ＷＥＢサイトへ移動するための選択ボタンＢを複数配置する構成としてある。そして希望する通販ＷＥＢサイトの選択ボタンＢを押す（例えば、クリックする）ことで、図３（ｂ）に示すように、希望する通販ＷＥＢサイトの初期画面Ｇ４が表示される構成としてある。
【００４２】
また本実施形態においては、希望する通販ＷＥＢサイトの初期画面Ｇ４として、希望する通販ＷＥＢサイトを作成、管理する企業が提供する商品の購入申込みを受け付けるための商品購入案内画面Ｇ５と、新規販売代理店の登録申込みを受け付けるための新規販売代理店登録申込み画面Ｇ６とを備える構成としてある。
また図示していないが、本部１０が所有する集合通販ＷＥＢサイトも、初期画面として、図３（ａ）に示すプロフィール表示画面Ｇ３を除き、初期画面Ｇ１と初期画面Ｇ４と同様の構成の有する初期画面を備える。
勿論、集合通販ＷＥＢサイトの初期画面Ｇ１や、希望する通販ＷＥＢサイトの初期画面Ｇ４の構成は、このような構成に限るものではなく、適宜変更可能である。
【００４３】
前記インターネット通信網４０は、本部１０、販売代理店２０、顧客３０を相互に通信可能に接続し、様々な処理に係わる各種データをサーバ１１と、販売代理店２０の端末装置と、顧客３０の端末装置との間で送受可能にするためのものである。
【００４４】
次に図４、図５を参照して、本発明の実施形態に係る通販ＷＥＢサイト支援システム１において、新たに販売代理店を登録する場合にサーバ１１が行う新規販売代理店開設処理の具体的な流れについて説明する。
【００４５】
まず図４を参照して、本部１０のサーバ１１は、販売代理店申込みコマンドを受領したか否かの判定を行う（ステップＳ１）。なお、この販売代理店申込みコマンドは、例えば本部１０が所有する集合通販ＷＥＢサイトを構成する各通販ＷＥＢサイトや、既存の販売代理店２０が備える集合通販ＷＥＢサイトを構成する各通販ＷＥＢサイトにおいて、新たに販売代理店として登録したい者が、図３（ｂ）に示す新規販売代理店登録申込み画面Ｇ６から登録申込みボタン（図示しない）をクリックすることで、サーバ１１へ送信される構成とすることができる。
販売代理店申込みコマンドを受領したとサーバ１１が判定した場合（ステップＳ１でＹＥＳ）には、サーバ１１は申込みがあった通販ＷＥＢサイトに販売代理店登録申込み用フォームを表示させる（ステップＳ２）。
【００４６】
その後、サーバ１１は販売代理店登録申込み用フォームを受領したか否かの判定を行う（ステップＳ３）。販売代理店登録申込み用フォームを受領したとサーバ１１が判定した場合（ステップＳ３でＹＥＳ）には、本部１０において申込み内容の審査を行う。具体的には、販売代理店登録申込み用フォームに入力された所定の情報（名前、住所等）に基づき、本部１０の審査員が審査を行う。
【００４７】
次にサーバ１１は審査を通過したか否かの判定を行う（ステップＳ４）。審査を通過したとサーバ１１が判定した場合（ステップＳ４でＹＥＳ）には、サーバ１１は本部１０の集合通販ＷＥＢサイトから販売代理店申込みコマンドを受領したか否かの判定を行う（ステップＳ５）。一方、審査を通過しなかったとサーバ１１が判定した場合（ステップＳ４でＮＯ）には、サーバ１１は登録申込みを行った者の端末に審査非通過メッセージを送信し、販売代理店登録申込み処理を終了する。なお、サーバ１１による審査通過の判定は、例えば本部１０のオペレーターが端末装置を利用して審査通過コマンドを実行（入力）することで行うことができる。これと同様に、サーバ１１による審査非通過の判定は、例えば本部１０のオペレーターが端末装置を利用して審査非通過コマンドを実行（入力）することで行うことができる。
【００４８】
上記ステップＳ５において、本部１０の集合通販ＷＥＢサイトから販売代理店申込みコマンドを受領したとサーバ１１が判定した場合には、サーバ１１により新規販売代理店開設処理が行われる（ステップＳ６）。
【００４９】
具体的には、識別符号部１２ｄにおいて、以下の三つの識別符号が作成される。一つ目は、新規販売代理店に固有の販売代理店管理符号である。そして二つ目は、新規販売代理店に提供される集合通販ＷＥＢサイトに固有の販売代理店集合通販ＷＥＢサイト管理符号である。更に三つ目は、販売代理店の集合通販ＷＥＢサイトを構成する各通販ＷＥＢサイトに対して付与される販売代理店通販ＷＥＢサイト管理符号である。この販売代理店通販ＷＥＢサイト管理符号は、本部１０の集合通販ＷＥＢサイト管理符号と、新規販売代理店の申込みが現になされた本部１０の通販ＷＥＢサイトに付与される本部通販ＷＥＢサイト管理符号とに関連付けられた符号で構成されている。
【００５０】
そして、識別符号部１２ｄで作成された販売代理店集合通販ＷＥＢサイト管理符号が付与された集合通販ＷＥＢサイト（販売代理店通販ＷＥＢサイト管理符号が付与された複数の通販ＷＥＢサイトを備える）が、本部１０から申込み者の端末装置にアップロード（提供）される。
また、新規販売代理店に対して付与される、販売代理店集合通販ＷＥＢサイト管理符号と、販売代理店通販ＷＥＢサイト管理符号と、販売代理店管理符号とがそれぞれ関連付けられて販売代理店データベース１３ｂに記憶される。
また新規販売代理店の登録者として本システムに加入した者の一定の情報（ニックネーム、趣味等のいわゆるプロフィール情報）が、記憶部１３に記憶されると共に、プロフィール表示画面Ｇ３に表示される。
更に本部１０と申込み者との間で通販営業契約を締結する。
これによって、申込み者は販売代理店２０としての通販営業が可能となり、サーバ１１による新規販売代理店開設（登録）処理が終了する。
【００５１】
一方、上記ステップＳ５において、サーバ１１が、本部１０の集合通販ＷＥＢサイトから販売代理店申込みコマンドを受領していないと判定した場合には、サーバ１１は、販売代理店２０の集合通販ＷＥＢサイトから販売代理店申込みコマンドを受領したか否かの判定を行う（ステップＳ７）。
そして上記ステップＳ７において、販売代理店２０の集合通販ＷＥＢサイトから販売代理店申込みコマンドを受領したとサーバ１１が判定した場合には、サーバ１１により新規販売代理店開設処理が行われる（ステップＳ８）。
【００５２】
具体的には、識別符号部１２ｄにおいて以下の三つの識別符号が作成される。一つ目は、新規販売代理店に固有の販売代理店管理符号である。そして二つ目は、新規販売代理店に提供される集合通販ＷＥＢサイトに固有の販売代理店集合通販ＷＥＢサイト管理符号である。更に三つ目は、販売代理店の集合通販ＷＥＢサイトを構成する各通販ＷＥＢサイトに対して付与される販売代理店通販ＷＥＢサイト管理符号である。この販売代理店通販ＷＥＢサイト管理符号は、新規販売代理店の申込みが現になされた販売代理店２０の販売代理店集合通販ＷＥＢサイト管理符号と、新規販売代理店の申込みが現になされた通販ＷＥＢサイトに付与される販売代理店通販ＷＥＢサイト管理符号とに関連付けられた符号で構成されている。
【００５３】
そして識別符号部１２ｄで作成された販売代理店集合通販ＷＥＢサイト管理符号が付与された集合通販ＷＥＢサイト（販売代理店通販ＷＥＢサイト管理符号が付与された複数の通販ＷＥＢサイトを備える）が、本部１０から申込み者の端末装置にアップロード（提供）される。
また新規販売代理店に対して付与される、販売代理店集合通販ＷＥＢサイト管理符号と、販売代理店通販ＷＥＢサイト管理符号と、販売代理店管理符号とが、それぞれ関連付けられて販売代理店データベース１３ｂに記憶される。
また新規販売代理店の登録者として本システムに加入した者の一定の情報（ニックネーム、趣味等のいわゆるプロフィール情報）が、記憶部１３に記憶されると共に、プロフィール表示画面Ｇ３に表示される。
更に本部１０と申込み者との間で通販営業契約を締結する。
これによって、申込み者は販売代理店２０としての通販営業が可能となり、サーバ１１による新規販売代理店開設（登録）処理が終了する。
【００５４】
次に図６、図７を参照して、本発明の実施形態に係る通販ＷＥＢサイト支援システム１において、顧客３０が通販ＷＥＢサイトを介して商品を購入する場合にサーバ１１が行う商品購入申込み処理の流れについて説明する。
【００５５】
まず図６を参照して、サーバ１１は、商品購入申込みコマンドを受領したか否かの判定を行う（ステップＳ９）。なお、この商品購入申込みコマンドは、例えば本部１０の各通販ＷＥＢサイト又は何れかの販売代理店の各通販ＷＥＢサイトにおいて、顧客３０が商品購入案内画面Ｇ５から購入希望商品を選択した後、購入申込みボタン（図示しない）をクリックすることでサーバ１１へ送信される構成とすることができる。
商品購入申込みコマンドを受領したとサーバ１１が判定した場合（ステップＳ９でＹＥＳ）には、商品購入申込みコマンドをどの通販ＷＥＢサイトから受領したかの判定を行う。具体的には、まず本部１０の通販ＷＥＢサイトから商品購入申込みコマンドを受領したか否かの判定を行う（ステップＳ１０）。ここで本部１０の通販ＷＥＢサイトから商品購入申込みコマンドを受領しなかったとサーバ１１が判定した場合（ステップＳ１０でＮＯ）には、後述するステップＳ１４へと進む。
【００５６】
一方、ステップＳ１０において、本部１０の通販ＷＥＢサイトから商品購入申込みコマンドを受領したとサーバ１１が判定した場合（ステップＳ１０でＹＥＳ）には、サーバ１１は支払い方法決定コマンドを受領したか否かの判定を行う（ステップＳ１１）。
なお、この支払い方法決定コマンドは、例えば本部１０の各通販ＷＥＢサイト又は何れかの販売代理店の各通販ＷＥＢサイトにおいて、顧客３０が商品購入案内画面Ｇ５から支払い方法を選択した後、支払い方法決定ボタン（図示しない）をクリックすることでサーバ１１へ送信される構成とすることができる。また支払い方法としては、現金払い、銀行振込、クレジットカード払い等、通常の通販ＷＥＢサイトで用いられるものを用いることができる。
支払い方法決定コマンドを受領したとサーバ１１が判定した場合（ステップＳ１１でＹＥＳ）には、サーバ１１は入金を確認したか否かの判定を行う（ステップＳ１２）。
なお、サーバ１１による入金の確認は、例えば本部１０のオペレーターが端末装置を利用して、入金確認コマンドを実行（入力）することで行うことができる。
【００５７】
サーバ１１が入金を確認したと判定した場合（ステップＳ１２でＹＥＳ）には、識別符号部１２ｄで商品購入申込みを行った顧客３０に固有の識別符号（顧客管理符号）を作成し、顧客データベース１３ｃに登録（記憶）する（ステップＳ１３）。なお本実施形態においては、顧客管理符号を顧客データベース１３ｃに登録する際には、購入した商品名、品番、数量、購入日、購入金額等のデータと関連付けて登録する構成としてある。
【００５８】
以上により商品購入申込み処理を終了する。
その後、申込みのあった商品が、商品の購入申込みを現に受付けた通販ＷＥＢサイトを作成した企業から顧客３０へと発送される。
【００５９】
図７を参照して、ステップＳ１０において、本部１０の通販ＷＥＢサイトから商品購入申込みコマンドを受領しなかったと判定した場合（ステップＳ１０でＮＯ）には、販売代理店の通販ＷＥＢサイトから商品購入申込みコマンドを受領したか否かの判定を行う（ステップＳ１４）。
【００６０】
販売代理店の通販ＷＥＢサイトから商品購入申込みコマンドを受領したとサーバ１１が判定した場合（ステップＳ１４でＹＥＳ）には、サーバ１１は、通販ＷＥＢサイト管理符号の照合を行う（ステップＳ１５）。具体的には、販売代理店データベース１３ｂを用いて、商品購入申込みが現になされた通販ＷＥＢサイトを備える販売代理店集合通販ＷＥＢサイト管理符号が有効なものか否かの判定を行う（ステップＳ１６）。
【００６１】
前記ステップＳ１６において、販売代理店集合通販ＷＥＢサイト管理符号が有効なものであるとサーバ１１が判定した場合（ステップＳ１６でＹＥＳ）には、サーバ１１は支払い方法決定コマンドを受領したか否かの判定を行う（ステップＳ１７）。
支払い方法決定コマンドを受領したとサーバ１１が判定した場合（ステップＳ１７でＹＥＳ）には、サーバ１１は入金を確認したか否かの判定を行う（ステップＳ１８）。
【００６２】
サーバ１１が入金を確認したと判定した場合（ステップＳ１８でＹＥＳ）には、識別符号部１２ｄで商品購入申込みを行った顧客３０に固有の識別符号（顧客管理符号）を作成し、顧客データベース１３ｃに登録（記憶）する（ステップＳ１９）。この際、顧客管理符号を購入した商品名、品番、数量、購入日、購入金額等のデータと関連付けて顧客データベース１３ｃに登録する。
更に商品の購入金額に対応した配当金額（売上金額に商品購入申込みのあった通販ＷＥＢサイトを備える販売代理店２０に割り当てられる料率を掛けて算出される配当金額）をサーバ１１が算出し、商品の購入申込みが現になされた販売代理店２０に本部１０から配当金額が支払われる（ステップＳ１９）。
【００６３】
この際、本実施形態においては、販売代理店２０の通販ＷＥＢサイトを介して商品の売買が成立した場合は、商品の購入申込みを受付けた通販ＷＥＢサイトと、該通販ＷＥＢサイトよりも上位層で且つ前記通販ＷＥＢサイトと関連付けられる通販ＷＥＢサイトとについて、商品の購入金額に対応した配当金額が本部１０から付与される構成としてある。
具体的には、例えば図１に示す顧客３０が販売代理店２２ｅの何れかの通販ＷＥＢサイトを介して商品の購入申込みを行って商品の売買が成立した場合においては、販売代理店２２ｅに配当金額が支払われることに加えて、商品購入申込みが現になされた販売代理店２２ｅよりも上位層で、且つ販売代理店２２ｅの通販ＷＥＢサイトと関連付けられる通販ＷＥＢサイトを備える販売代理店２１ｉにも配当金額（売上金額に販売代理店２１ｉに割り当てられる料率を掛けて算出される金額）が支払われる構成としてある。
なお、ここで「商品の購入申込みを受付けた通販ＷＥＢサイトよりも上位層」とは、通販ＷＥＢサイト支援システム１において、本部１０の集合通販ＷＥＢサイトを起点とする通販ＷＥＢサイトの配置関係において、商品の購入申込みを現に受付けた販売代理店の通販ＷＥＢサイトよりも本部１０に近い側を意味するものである。
【００６４】
以上により、商品購入申込み処理を終了する。
その後、申込みのあった商品が、現に購入申込みを受付けた通販ＷＥＢサイトを作成した企業から顧客３０へと発送される。
【００６５】
次に図１、図８、図９を参照して、本発明の実施形態に係る通販ＷＥＢサイト支援システム１において、複数の新規販売代理店２０を開設する過程を説明する。
【００６６】
まず図８を参照して、販売代理店２０が１店も開設されていない状態で本部１０の集合通販ＷＥＢサイトを介して新規販売代理店の登録申込みが１件あり、その申込みを承認することで、新たな販売代理店２０が１つ開設される。
具体的には、本部１０の集合通販ＷＥＢサイトを構成する通販ＷＥＢサイト１０ａ〜通販ＷＥＢサイト１０ｊのうち、通販ＷＥＢサイト１０ｅから新規販売代理店の登録申込みが１件あり、本部１０にて登録を許可することで、新たな販売代理店２１ａが開設される。
なお図８に示すように、新たな販売代理店２１ａには、本部１０から、本部１０が所有する集合通販ＷＥＢサイトと全く同一の集合通販ＷＥＢサイトが提供される。つまり、通販ＷＥＢサイト１０ａ〜通販ＷＥＢサイト１０ｊまでの１０個の通販ＷＥＢサイトを集合させてなる集合通販ＷＥＢサイトが販売代理店２１ａに提供される。
【００６７】
この際、既述したように、新たな販売代理店２１ａに提供される集合通販ＷＥＢサイトと、集合通販ＷＥＢサイトを構成する各通販ＷＥＢサイトとには、固有の販売代理店集合通販ＷＥＢサイト管理符号と、販売代理店通販ＷＥＢサイト管理符号とが付与される。これら販売代理店集合通販ＷＥＢサイト管理符号と、販売代理店通販ＷＥＢサイト管理符号とには、通販ＷＥＢサイト１０ｅと関連付けられた符号が付与される。更に新たな販売代理店２１ａには、固有の販売代理店管理符号が付与される。そして各管理符号は、記憶部１３の通販ＷＥＢサイトデータベース１３ａと、販売代理店データベース１３ｂとに記憶される。
【００６８】
次に図９を参照して、販売代理店２１ａと同様に、本部１０の通販ＷＥＢサイト１０ｅを介して、新規販売代理店の登録申込みが９件あり、その申込みを承認することで、新たな販売代理店２０が更に９つ開設される（販売代理店２１ｂ〜販売代理店２１ｊ）。この際、販売代理店２１ａと同様に、販売代理店２１ｂ〜販売代理店２１ｊにそれぞれ提供される集合通販ＷＥＢサイトと、集合通販ＷＥＢサイトを構成する各通販ＷＥＢサイトとには、固有の販売代理店集合通販ＷＥＢサイト管理符号と、販売代理店通販ＷＥＢサイト管理符号とが付与される。これら販売代理店集合通販ＷＥＢサイト管理符号と、販売代理店通販ＷＥＢサイト管理符号とには、通販ＷＥＢサイト１０ｅと関連付けられた符号が付与される。更に新たな販売代理店２１ｂ〜販売代理店２１ｊには、それぞれ固有の販売代理店管理符号が付与される。そして各管理符号は、記憶部１３の通販ＷＥＢサイトデータベース１３ａと、販売代理店データベース１３ｂとに記憶される。
【００６９】
以上により、本部１０の通販ＷＥＢサイト１０ｅを中心として、１０ヶ所の販売代理店２０（２１ａ〜２１ｊ）が開設される。
【００７０】
次に図９を参照して、販売代理店２１ｉの集合通販ＷＥＢサイトを介して新規販売代理店の登録申込みが１件あり、その申込みを承認することで、新たな販売代理店２２ａが１つ開設される。
具体的には、販売代理店２１ｉの集合通販ＷＥＢサイトを構成する通販ＷＥＢサイト１０ａ〜通販ＷＥＢサイト１０ｊのうち、何れかの通販ＷＥＢサイトから新規販売代理店の登録申込みが１件あり、本部１０にて登録を許可することで、新たな販売代理店２２ａが開設される。
この際、新たな販売代理店２２ａに提供される集合通販ＷＥＢサイトと、集合通販ＷＥＢサイトを構成する各通販ＷＥＢサイトとには、固有の販売代理店集合通販ＷＥＢサイト管理符号と、販売代理店通販ＷＥＢサイト管理符号とが付与される。これら販売代理店集合通販ＷＥＢサイト管理符号と、販売代理店通販ＷＥＢサイト管理符号とには、新規販売代理店の登録申込みが現にあった通販ＷＥＢサイトと関連付けられた符号が付与される。更に、新たな販売代理店２２ａには、固有の販売代理店管理符号が付与される。そして各管理符号は、記憶部１３の通販ＷＥＢサイトデータベース１３ａと、販売代理店データベース１３ｂとに記憶される。
【００７１】
次に図１を参照して、販売代理店２１ｉを介して、新規販売代理店の登録申込みが９件あり、その申込みを承認することで、新たな販売代理店２０が更に９つ開設される（販売代理店２２ｂ〜販売代理店２２ｊ）。
この際、販売代理店２２ｂ〜販売代理店２２ｊにそれぞれ提供される集合通販ＷＥＢサイトと、集合通販ＷＥＢサイトを構成する各通販ＷＥＢサイトとには、固有の販売代理店集合通販ＷＥＢサイト管理符号と、販売代理店通販ＷＥＢサイト管理符号とが付与される。これら販売代理店集合通販ＷＥＢサイト管理符号と、販売代理店通販ＷＥＢサイト管理符号とには、新規販売代理店の登録申込みが現にあった通販ＷＥＢサイトと関連付けられた符号が付与される。更に新たな販売代理店２２ｂ〜販売代理店２２ｊには、それぞれ固有の販売代理店管理符号が付与される。そして各管理符号は、記憶部１３の通販ＷＥＢサイトデータベース１３ａと、販売代理店データベース１３ｂとに記憶される。
【００７２】
以上により、図１に示すように、通販ＷＥＢサイト２１ｉを中心として、１０ヶ所の販売代理店２０が開設される。よって合計２０ヶ所の販売代理店２０が開設され、それぞれの集合通販ＷＥＢサイトを介して商品の販売と、新規販売代理店の登録申込みが行われる。
【００７３】
以上の構成からなる本発明の通販ＷＥＢサイト支援システム１は、以下の効果を奏する。
【００７４】
インターネット通信網４０を介して、本部１０と販売代理店２０の何れの通販ＷＥＢサイトでも新規販売代理店の登録申込みを行える構成とすることで、日時に関係なく（２４時間３６５日）新規販売代理店の申込みを受け付けることができる。よって販売代理店２０の募集を容易に行うことができることで、新たな販売代理店２０を効率良く増やすことができる。従って販路を効率的に拡大することができる。
【００７５】
また新規販売代理店の登録申込みが現になされた販売代理店２０の通販ＷＥＢサイトと関連付けた集合通販ＷＥＢサイト管理符号と、通販ＷＥＢサイト管理符号とを付与した集合通販ＷＥＢサイトを新規販売代理店に提供すると共に、新規販売代理店に付与した販売代理店管理符号と、新規販売代理店の通販ＷＥＢサイトに付与された集合通販ＷＥＢサイト管理符号、通販ＷＥＢサイト管理符号とを関連付けて記憶する構成とすることで、どの販売代理店の通販ＷＥＢサイトを介して新規販売代理店の登録申込みがあったかの確認を容易に行うことができる。
また任意の販売代理店２０で売上が発生した場合においては、商品の購入申込みが現にあった通販ＷＥＢサイトと、その通販ＷＥＢサイトよりも上位層で、且つ商品の購入申込みが現にあった通販ＷＥＢサイトと関連付けられる通販ＷＥＢサイトとを容易に検出することができ、配当金額の分配を効率良く行うことができる。
【００７６】
また販売代理店２０の各通販ＷＥＢサイトの構成として、商品の購入申込みを受け付けることができると共に、商品の売買が成立した場合には、商品の購入申込みを受け付けた通販ＷＥＢサイトを備える販売代理店２０と、該販売代理店２０の通販ＷＥＢサイトよりも上位層で且つ商品の購入申込みを受け付けた通販ＷＥＢサイトと関連付けられる通販ＷＥＢサイトを備える販売代理店２０とに対して、商品の購入金額に対応した配当金額を付与する構成とすることで、販売代理店２０の商品販売意欲を効果的に向上させることができる。よって販売代理店２０として通販ＷＥＢサイト支援システム１に加入した者が、積極的に自己の通販ＷＥＢサイトの告知や新規登録代理店の申込み案内を行うようになり、効率的に商品の販路を拡大することができる。
【００７７】
また本部１０が所有すると共に、販売代理店２０に提供する通販ＷＥＢサイトを、複数の通販ＷＥＢサイトを集合させてなる集合通販ＷＥＢサイトとすると共に、各通販ＷＥＢサイトから新規販売代理店の登録申込みを行える構成とすることで、新規販売代理店の登録募集箇所を効果的に拡散することができる。よって、一段と効率的に新規販売代理店を増加させることができる。
【００７８】
また本部１０が販売代理店２０に提供する通販ＷＥＢサイトを、異なる企業がそれぞれ作成した通販ＷＥＢサイトで構成される集合通販ＷＥＢサイトとすることで、集合通販ＷＥＢサイトをバラエティに富んだショッピングサイトとすることができる。よって新規販売代理店への登録意欲を効果的に掻き立てることができ、新規販売代理店を効果的に増加させることができる。
また各企業は、通販ＷＥＢサイト支援システム１に加入することで、自社の通販ＷＥＢサイトの販売代理店を可及的に拡大することが可能となり、自社の通販ＷＥＢサイトを効率的に周知させることができる。加えて、各通販ＷＥＢサイトから商品の購入申込みを行える構成とすることで、各企業が効率的に売上を増加させることができる。更に、商品の購入者にとっても、一ヶ所の集合通販ＷＥＢサイトで様々な企業の商品を購入できることから、商品の購入者にとっても利便性の高いシステムとすることができる。このような商品の購入者側にとっての利便性は、本部１０が所有する通販ＷＥＢサイトの数が増加するほど、特に、消費者にとって関心度の高い企業の通販ＷＥＢサイトの数が増加するほど大きくなるものである。
【００７９】
更に商品の受発注を、商品の購入申し込みを受付けた通販ＷＥＢサイトを作成した企業が直接行う構成とすることで、各通販ＷＥＢサイトを各企業の直販サイトとすることができると共に、集合通販ＷＥＢサイトを各企業の直販サイトの集合体とすることができる。
よって商品の販売者と購入者との間に、仲介者（いわゆる問屋）が入ることのないシステムとすることができる。従って商品の販売価格を効果的に抑えることができ、商品の購入者にとって一段と利便性の高いシステムとすることができる。同時に、商品の販売者にとっては、実店舗ではなく、サイト上で２４時間直接商品の販売を行うことができることで、人件費等の諸経費を効果的に抑えることができ、省コスト化が可能なシステムとすることができる。
【００８０】
また通販ＷＥＢサイト支援システム１の運営及び管理を本部１０のサーバ１１で行う構成とすることで、通販ＷＥＢサイトの運営及び管理を一元化することができる。よって通販ＷＥＢサイトの運営及び管理を容易化することができ、効率良くシステム運営を行うことができる。
【００８１】
なお、サーバ１１の数や構成は本実施形態のものに限るものではなく、システムの内容に合わせて適宜変更可能である。
【００８２】
また販売代理店２０に配当金額が付与される構成も本実施形態のものに限るものではなく、適宜変更可能である。
例えば販売代理店２０毎に所定の月会費の納入を義務付けると共に、月会費の入金確認をサーバ１１が行う構成とし、入金確認がとれた場合には、入金確認がとれた販売代理店２０の通販ＷＥＢサイトよりも上位層で、且つ入金確認がとれた販売代理店２０と関連付けられている通販ＷＥＢサイトについて、月会費の金額に対応した配当金額をサーバ１１が算出し、この配当金額を入金確認がとれた販売代理店２０の通販ＷＥＢサイトよりも上位層で、且つ入金確認がとれた通販ＷＥＢサイトと関連付けられる通販ＷＥＢサイトを備える販売代理店２０に対して本部１０が付与する構成とすることができる。このような構成とすることで、既存の販売代理店２０は、自己の通販ＷＥＢサイトを介して新規販売代理店が開設されることで毎月一定額の収入を見込むことが可能となる。よって既存の販売代理店２０に対して新規販売代理店の募集意欲を効果的に向上させることができると共に、通販ＷＥＢサイト支援システム１を販売代理店２０にとって魅力的なシステムとすることができる。
【００８３】
また販売代理店２０の通販ＷＥＢサイトを介して商品の売買が成立した場合において、商品の購入者が、商品の購入申込みを受付けた通販ＷＥＢサイトの登録者か否かの判定を行う購入者判定処理を更に備え、購入者判定処理において、商品の購入者が、商品の購入申込みを受付けた通販ＷＥＢサイトの登録者であると判定した場合においては、購入金額に対応した配当金額若しくは換金可能なポイントを本部１０のサーバが算出し、商品の購入申込みを受付けた通販ＷＥＢサイトを備える販売代理店２０に対して本部が付与する構成としてもよい。このような構成とすることで、新規販売代理店として登録することで、登録者自らの商品購入に関して優待を受けることが可能となることから、新規販売代理店への登録意欲を効果的に掻き立てることができ、新規販売代理店を効果的に増加させることができる。また商品の購入者にとってもメリットの大きいシステムとすることができる。
【００８４】
また本実施形態においては、集合通販ＷＥＢサイトを構成する各通販ＷＥＢサイトの作成、運営と、商品の受発注とを、各通販ＷＥＢサイトを介して商品の販売を行う各企業が受け持つ構成としたが、必ずしもこのような構成に限るものではない。例えば集合通販ＷＥＢサイトを構成する各通販ＷＥＢサイトの作成、運営と、商品の受発注とを本部１０が行う構成としてもよいし、本部１０や各企業以外の第三者が行う構成としてもよい。本発明は、これらの構成も含む概念である。
【産業上の利用可能性】
【００８５】
本発明はインターネット通信網を介して、販売代理店の管理、運営や各種商品の販売を行う、いわゆるオンラインショッピングの支援システムとして利用することができる。
【符号の説明】
【００８６】
１                通販ＷＥＢサイト支援システム
１０              本部
１０ａ            通販ＷＥＢサイト
１０ｂ            通販ＷＥＢサイト
１０ｃ            通販ＷＥＢサイト
１０ｄ            通販ＷＥＢサイト
１０ｅ            通販ＷＥＢサイト
１０ｆ            通販ＷＥＢサイト
１０ｇ            通販ＷＥＢサイト
１０ｈ            通販ＷＥＢサイト
１０ｉ            通販ＷＥＢサイト
１０ｊ            通販ＷＥＢサイト
１１              サーバ
１２              制御部
１２ａ            販売代理店管理部
１２ｂ            通販ＷＥＢサイト管理部
１２ｃ            商品販売管理部
１２ｄ            識別符号部
１２ｅ            認証部
１２ｆ            データ送受信部
１２ｇ            通信端末接続部
１３              記憶部
１３ａ            通販ＷＥＢサイトデータベース
１３ｂ            販売代理店データベース
１３ｃ            顧客データベース
１３ｄ            商品データベース
２０              販売代理店
２１ａ〜２１ｊ    販売代理店
２２ａ〜２２ｊ    販売代理店
３０              顧客
４０              インターネット通信網
Ｂ                選択ボタン
Ｇ１              初期画面
Ｇ２              通販ＷＥＢサイト表示画面
Ｇ３              プロフィール表示画面
Ｇ４              初期画面
Ｇ５              商品購入案内画面
Ｇ６              新規販売代理店登録申込み画面
【図１】
2018120268.tif 000003
【図２】
2018120268.tif 000004
【図３】
2018120268.tif 000005
【図４】
2018120268.tif 000006
【図５】
2018120268.tif 000007
【図６】
2018120268.tif 000008
【図７】
2018120268.tif 000009
【図８】
2018120268.tif 000010
【図９】
2018120268.tif 000011